(57)【要約】      （修正有）【課題】検体容器の形状に関係なく、分析担当者が正しい検体容器を短時間で選択できる自動分析を提供する。【解決手段】生化学分析装置が備える運用設定部３１は、検体容器パラメーターに画像ファイルへのパスを設定する。登録処理部３１ｂは、検体容器の形状を登録するための試薬容器形状ボタンに容器パラメーターから取得した検体容器の形状を示す名称を表示し、試薬容器形状ボタンが選択された場合に、パスを通じて記憶部から読出した画像ファイルに基づいて複数種別の画像を表示部に表示する。そして、登録処理部３１ｂは、複数の画像から選択された一の画像の画像ファイルが設定される容器パラメーターから取得した検体容器の名称により、試薬容器形状ボタンの名称を更新する。分析制御部３１ｃは、容器パラメーターに基づいて検体の自動分析を制御する。【選択図】図３
2017129393.tif 000002
【特許請求の範囲】
【請求項１】
表示部と、
検体の自動分析に用いられる容器の形状を示す画像の画像ファイルを記憶する記憶部と、
前記容器を特定するための容器パラメーターに前記画像ファイルへの保存先情報を設定する運用設定部と、
前記容器の形状を登録するための登録ボタンに前記容器パラメーターから取得した前記容器の形状を示す名称を表示し、前記登録ボタンが選択された場合に、前記保存先情報を通じて前記記憶部から読出した前記画像ファイルに基づいて複数種別の前記画像を前記表示部に表示し、複数種別の前記画像から選択された一の前記画像の前記画像ファイルが設定される前記容器パラメーターから取得した前記容器の名称により、前記登録ボタンの名称を更新する登録処理部と、
前記容器パラメーターに基づいて前記検体の自動分析を制御する分析制御部と、を備えた
自動分析装置。
【請求項２】
前記容器は、前記検体を収容する検体容器であって、
前記記憶部は、前記検体の自動分析を依頼するための依頼情報を記憶し、
前記登録処理部は、前記依頼情報を登録するための依頼情報登録画面を前記表示部に表示し、前記依頼情報登録画面に含まれ、前記検体容器の形状を登録するための前記登録ボタンが選択された場合に、前記保存先情報を通じて前記記憶部から読出した前記画像ファイルに基づいて複数の前記検体容器の前記画像を含む容器形状選択画面を前記表示部に表示し、複数の前記画像から選択された一の前記画像の前記画像ファイルが設定される前記容器パラメーターに基づいて、前記登録ボタンの名称を更新すると共に、更新した前記名称を含む前記依頼情報を前記記憶部に登録し、
前記分析制御部は、前記記憶部に登録された前記依頼情報に従って、前記検体の自動分析を制御する
請求項１に記載の自動分析装置。
【請求項３】
前記登録処理部は、前記容器パラメーターに対応付けて前記検体容器を一意に特定する検体識別情報が前記記憶部に登録されていない場合、前記容器パラメーターのデフォルト値を前記依頼情報登録画面に表示し、前記検体識別情報が前記記憶部に登録されている場合、前記検体識別情報に紐付けて登録されている前記依頼情報を前記依頼情報登録画面に表示する
請求項２に記載の自動分析装置。
【請求項４】
前記運用設定部は、前記容器パラメーターとして、前記検体容器の名称、前記検体容器の内径及び高さを、前記画像ファイルへの前記保存先情報と共に前記記憶部に設定する
請求項３に記載の自動分析装置。
【請求項５】
前記容器は、前記検体に反応する試薬を収容する試薬容器であって、
前記登録処理部は、前記試薬容器の開封操作を前記容器パラメーターに登録するための開封操作画面を前記表示部に表示し、前記開封操作画面に含まれ、前記試薬容器の形状を登録するための前記登録ボタンが選択された場合に、前記保存先情報を通じて前記記憶部から読出した前記画像ファイルに基づいて複数の前記画像を含む容器形状選択画面を前記表示部に表示し、複数の前記画像から選択された一の前記画像の前記画像ファイルが設定される前記容器パラメーターに基づいて、前記登録ボタンの名称を更新して、前記試薬容器の開封日時と共に前記記憶部に登録する
請求項１に記載の自動分析装置。
【請求項６】
前記運用設定部は、前記容器パラメーターとして、前記試薬容器の名称、前記試薬容器の断面積及び容量を、前記画像ファイルへの前記保存先情報と共に前記記憶部に設定する
請求項５に記載の自動分析装置。
【請求項７】
検体の自動分析に用いられる容器を特定するための容器パラメーターとして、記憶部に記憶された前記容器の形状を示す画像の画像ファイルへの保存先情報を、前記容器パラメーターに設定するステップと、
前記容器の形状を登録するための登録ボタンに前記容器パラメーターから取得した前記容器の形状を示す名称を表示部に表示するステップと、
前記登録ボタンが選択された場合に、前記保存先情報を通じて前記記憶部から読出した前記画像ファイルに基づいて複数種別の前記画像を前記表示部に表示するステップと、
複数種別の前記画像から選択された一の前記画像の前記画像ファイルが設定される前記容器パラメーターから取得した前記容器の名称により、前記登録ボタンの名称を更新するステップと、
前記容器パラメーターに基づいて前記検体の自動分析を制御するステップと、を含む
自動分析方法。
【発明の詳細な説明】
【技術分野】
【０００１】
本発明は、検体と試薬とを反応させて検体の成分を分析するための自動分析装置及び自動分析方法に関する。
【背景技術】
【０００２】
自動分析装置として、血液や尿等の検体に含まれる各種成分を分析する生化学分析装置が知られている。この生化学分析装置では、血清、尿等の検体を一定の条件で希釈した後、反応容器に分注して、分析項目に応じた試薬と、検体とを反応容器（キュベット）内で混合して反応させている。そして、生化学分析装置は、反応容器に分注された希釈検体の吸光度を測定し、吸光度を濃度に換算することによって、検体に含まれる測定対象物質の分析を行っている。
【０００３】
従来の自動分析装置では、ユーザーが検体の測定、検査を依頼するための依頼情報を登録する際、検体が収容される検体容器の名称等の文字によって識別される選択肢から検体容器を選択していた。ここで、従来行われていた依頼情報の登録操作について、図１８を参照して説明する。
【０００４】
図１８は、従来の依頼情報登録画面１００の表示例を示すユーザー・インターフェイス図である。依頼情報登録画面１００は、検体識別情報の登録を行うために用いられる。
依頼情報登録画面１００には、検体容器の側面等に付されたバーコードから読込まれる検体ＩＤ（検体識別情報の一例）の他に、検体容器の容器形状を選択するための容器形状ボタン１０１が表示される。検体ＩＤは、検体容器の取り違いを防ぐために検体容器毎に一意に付される英数字列である。ユーザーが容器形状ボタン１０１を押すと、依頼情報登録画面１００の上に容器形状選択画面１０２がポップアップ表示される。
【０００５】
容器形状選択画面１０２には、複数種別の検体容器の形状を示す形状選択ボタン１０３が表示される。形状選択ボタン１０３には、検体容器の容量、タイプが文字で表示される。検体容器の容量には、例えば、「7mL」、「2.5mL」等があり、検体容器の形状には、例えば、チューブ型、カップ型がある。ユーザーが形状選択ボタン１０３を押して選択した容器形状が記憶部に登録される。自動分析装置は、記憶部に登録された容器形状に従って、プローブを検体容器に挿入し、検体の吸引等を行う。
【０００６】
特許文献１には、検体材料を採取するための採取容器を、容量あるいは種別の異なる複数の採取容器から単独にあるいはそれらの組み合わせとして選択可能な容器選択部を備えた検査支援装置が開示されている。
【先行技術文献】
【特許文献】
【０００７】
【特許文献１】特開平６−１４８２０９号公報
【発明の概要】
【発明が解決しようとする課題】
【０００８】
検体容器には様々な形状があるため、形状選択ボタン１０３のように容器形状が文字だけで表されていると、不慣れなユーザーは、容器形状を誤って検体容器を選択するおそれがあった。容器形状を誤って選択すると以下のような問題が発生する。
【０００９】
図１９は、検体容器１１０、１１１にサンプリングピペット１１３が挿入される様子を示す説明図である。
サンプルターンテーブル１１２の上面に配置されるチューブ型の検体容器１１０と、カップ型の検体容器１１１には、それぞれ所定量の検体が収容される。検体容器１１０の容量は、検体容器１１１よりも多い。サンプリングピペット１１３の先端は、破損防止のため検体容器１１０、１１１の底に接触しないように降下する。そして、検体容器１１０、１１１内に挿入されたサンプリングピペット１１３により検体が吸引される。ここで、チューブ型の検体容器１１０の底部からサンプルターンテーブル１１２の上面までの高さはｈ１０であり、カップ型の検体容器１１１の底部からサンプルターンテーブル１１２の上面までの高さはｈ１１である。図１９に示すように、高さｈ１０は、高さｈ１１よりも高い。
【００１０】
ところで、検体容器１１０の形状が誤ってカップ型で登録された場合には、検体容器１１０に収容された検体を吸引できる高さまでサンプリングピペット１１３の先端が降下せず、検体容器１１０から検体を吸引することができない。この場合、検体の再測定が必要となる。一方、検体容器１１１の形状が誤ってチューブ型で登録された場合には、サンプリングピペット１１３の先端が検体容器１１１の底に衝突してしまい、サンプリングピペット１１３の先端が破損するおそれがある。この場合、自動分析装置の分析動作を停止し、サンプリングピペット１１３を交換修理しなければならない。
いずれの場合においても、検体の測定完了までに時間を要してしまい医師等に対する検体の分析結果の報告が遅れてしまう。
【００１１】
また、検体容器だけでなく、試薬容器、反応容器についても様々な形状の容器を取り扱う場合があり、各容器について誤った形状が登録されると、意図した測定を行えないことがあった。
【００１２】
本発明はこのような状況に鑑みて成されたものであり、検体の測定に用いられる各種容器の形状を適切に選択して登録できるようにすることを目的とする。
【課題を解決するための手段】
【００１３】
本発明は、表示部と、記憶部と、運用設定部と、登録処理部と、分析制御部と、を備える。
記憶部は、検体の自動分析に用いられる容器の形状を示す画像の画像ファイルを記憶する。
運用設定部は、容器を特定するための容器パラメーターに画像ファイルへの保存先情報を設定する。
登録処理部は、容器の形状を登録するための登録ボタンに容器パラメーターから取得した容器の形状を示す名称を表示し、登録ボタンが選択された場合に、保存先情報を通じて記憶部から読出した画像ファイルに基づいて複数種別の画像を表示部に表示し、複数種別の画像から選択された一の画像の画像ファイルが設定される容器パラメーターから取得した容器の名称により、登録ボタンの名称を更新する。
分析制御部は、容器パラメーターに基づいて検体の自動分析を制御する。
【発明の効果】
【００１４】
本発明によれば、表示部に容器の形状が画像で表示されるため、ユーザーが実際の容器を見ながら適切な形状の容器を画像から選択して登録することができる。
上記した以外の課題、構成及び効果は、以下の実施の形態例の説明により明らかにされる。
【図面の簡単な説明】
【００１５】
【図１】本発明の自動分析装置の第１の実施の形態例に係る生化学分析装置を模式的に示す説明図である。
【図２】本発明の第１の実施の形態例に係る計算機の内部構成例を示すハードウェア構成図である。
【図３】本発明の第１の実施の形態例に係る制御部の内部構成例を示すブロック図である。
【図４】本発明の第１の実施の形態例に係る制御部の各部の処理例を示すフローチャートである。
【図５】本発明の第１の実施の形態例に係る容器形状設定画面の表示例を示すユーザー・インターフェイス図である。
【図６】本発明の第１の実施の形態例に係る検体容器の形状を特定するための検体容器パラメーターの例を示す説明図である。
【図７】本発明の第１の実施の形態例に係るサンプル希釈ピペットの上死点を基準とした検体容器の位置関係を示す説明図である。
【図８】図４のステップＳ１にて行われる検体容器の運用設定処理の例を示すフローチャートである。
【図９】本発明の第１の実施の形態例に係る依頼情報登録画面の表示例を示すユーザー・インターフェイス図である。
【図１０】図４のステップＳ２にて行われる依頼情報の登録処理の例を示すフローチャートである。
【図１１】本発明の第２の実施の形態例に係る制御部の各部の処理例を示すフローチャートである。
【図１２】本発明の第２の実施の形態例に係る容器形状設定画面の表示例を示すユーザー・インターフェイス図である。
【図１３】図１１のステップＳ３１にて行われる試薬容器の運用設定処理の例を示すフローチャートである。
【図１４】本発明の第２の実施の形態例に係る試薬スキャン画面の表示例を示すユーザー・インターフェイス図である。
【図１５】本発明の第２の実施の形態例に係る開封操作画面の表示例を示すユーザー・インターフェイス図である。
【図１６】本発明の第２の実施の形態例に係る試薬容器形状選択画面の表示例を示すユーザー・インターフェイス図である。
【図１７】図１１のステップＳ３２にて行われる試薬交換処理の例を示すフローチャートである。
【図１８】従来の依頼情報登録画面の表示例を示すユーザー・インターフェイス図である。
【図１９】従来の検体容器にサンプリングピペットが挿入される様子を示す説明図である。
【発明を実施するための形態】
【００１６】
以下、本発明の第１の実施の形態例に係る自動分析装置について、添付図面を参照して説明する。本明細書及び図面において、実質的に同一の機能又は構成を有する構成要素については、同一の符号を付することにより重複する説明を省略する。
【００１７】
［１．第１の実施の形態例］
＜１−１．自動分析装置の構成＞
まず、本例の自動分析装置について図１を参照して説明する。
図１は、本例の自動分析装置を模式的に示す説明図である。
図１に示す生化学分析装置１は、本発明の自動分析装置の一例として適用する生化学分析装置である。生化学分析装置１は、血液や尿等の生体試料に含まれる特定の成分の量を自動的に測定する装置である。
【００１８】
図１に示すように、生化学分析装置１は、サンプルターンテーブル２と、希釈ターンテーブル３と、第１試薬ターンテーブル４と、第２試薬ターンテーブル５と、反応ターンテーブル６と、を備えている。また、生化学分析装置１は、サンプル希釈ピペット７と、サンプリングピペット８と、希釈撹拌装置９と、希釈洗浄装置１１と、第１試薬ピペット１２と、第２試薬ピペット１３と、第１反応撹拌装置１４と、第２反応撹拌装置１５と、多波長光度計１６と、恒温槽１７と、反応容器洗浄装置１８と、計算機３０とを備えている。
【００１９】
サンプルターンテーブル２（検体容器保持部の一例）は、軸方向の一端が開口した略円筒状をなす容器状に形成されている。このサンプルターンテーブル２には、複数の検体容器２１と、複数の希釈液容器２２が収容されている。検体容器２１には、血液や尿等からなる検体（サンプル）が収容される。希釈液容器２２には、通常の希釈液である生理食塩水以外の特別な希釈液が収容される。
【００２０】
複数の検体容器２１は、サンプルターンテーブル２の周方向に所定の間隔を開けて並べて配置されている。また、サンプルターンテーブル２の周方向に並べられた検体容器２１の列は、サンプルターンテーブル２の半径方向に所定の間隔を開けて２列セットされている。
【００２１】
複数の希釈液容器２２は、複数の検体容器２１の列よりもサンプルターンテーブル２の半径方向の内側に配置されている。複数の希釈液容器２２は、複数の検体容器２１と同様に、サンプルターンテーブル２の周方向に所定の間隔を開けて並べて配置されている。そして、サンプルターンテーブル２の周方向に並べられた希釈液容器２２の列は、サンプルターンテーブル２の半径方向に所定の間隔を開けて２列セットされている。
【００２２】
なお、複数の検体容器２１及び複数の希釈液容器２２の配列は、２列に限定されるものではなく、１列でもよく、あるいはサンプルターンテーブル２の半径方向に３列以上配置してもよい。
【００２３】
サンプルターンテーブル２は、不図示の駆動機構によって周方向に沿って回転可能に支持されている。そして、サンプルターンテーブル２は、不図示の駆動機構により、周方向に所定の角度範囲ごとに、所定の速度で回転する。また、サンプルターンテーブル２の周囲には、希釈ターンテーブル３（希釈容器保持部の一例）が配置されている。
【００２４】
希釈ターンテーブル３、第１試薬ターンテーブル４、第２試薬ターンテーブル５及び反応ターンテーブル６（反応容器保持部の一例）は、サンプルターンテーブル２と同様に、軸方向の一端が開口した略円筒状をなす容器状に形成されている。希釈ターンテーブル３及び反応ターンテーブル６は、不図示の駆動機構により、その周方向に所定の角度範囲ずつ、所定の速度で回転する。なお、反応ターンテーブル６は、一回の移動で半周以上回転するように設定されている。
【００２５】
希釈ターンテーブル３には、複数の希釈容器２３が希釈ターンテーブル３の周方向に並べて収容されている。希釈容器２３には、サンプルターンテーブル２に配置された検体容器２１から吸引され、希釈された検体（以下、「希釈検体」という）が収容される。
【００２６】
第１試薬ターンテーブル４には、複数の第１試薬容器２４が第１試薬ターンテーブル４の周方向に並べて収容されている。また、第２試薬ターンテーブル５には、複数の第２試薬容器２５が第２試薬ターンテーブル５の周方向に並べて収容されている。そして、第１試薬容器２４には、濃縮された第１試薬が収容され、第２試薬容器２５には、濃縮された第２試薬が収容される。第１試薬及び第２試薬はいずれも検体に反応する。
【００２７】
さらに、第１試薬ターンテーブル４、第１試薬容器２４、第２試薬ターンテーブル５及び第２試薬容器２５は、不図示の保冷機構によって所定の温度に保たれている。そのため、第１試薬容器２４に収容された第１試薬と、第２試薬容器２５に収容された第２試薬は、所定の温度で保冷される。
【００２８】
反応ターンテーブル６は、希釈ターンテーブル３と、第１試薬ターンテーブル４及び第２試薬ターンテーブル５の間に配置されている。反応ターンテーブル６には、複数の反応容器２６が反応ターンテーブル６の周方向に並べて収容されている。反応容器２６には、希釈ターンテーブル３の希釈容器２３からサンプリングした希釈検体と、第１試薬ターンテーブル４の第１試薬容器２４からサンプリングした第１試薬と、第２試薬ターンテーブル５の第２試薬容器２５からサンプリングした第２試薬が注入される。そして、この反応容器２６内において、希釈検体と、第１試薬及び第２試薬が撹拌され、反応が行われる。
【００２９】
サンプル希釈ピペット７（第１分注部の一例）は、サンプルターンテーブル２と希釈ターンテーブル３の周囲に配置される。サンプル希釈ピペット７は、不図示の希釈ピペット駆動機構により、サンプルターンテーブル２及び希釈ターンテーブル３の軸方向（例えば、上下方向）に移動可能に支持されている。また、サンプル希釈ピペット７は、希釈ピペット駆動機構により、サンプルターンテーブル２及び希釈ターンテーブル３の開口と略平行をなす水平方向に沿って回動可能に支持されている。そして、サンプル希釈ピペット７は、水平方向に沿って回動することで、サンプルターンテーブル２と希釈ターンテーブル３の間を往復運動する。なお、サンプル希釈ピペット７がサンプルターンテーブル２と希釈ターンテーブル３の間を移動する際、サンプル希釈ピペット７は、不図示の洗浄装置を通過する。
【００３０】
ここで、サンプル希釈ピペット７の動作について説明する。
サンプル希釈ピペット７がサンプルターンテーブル２における開口の上方の所定位置に移動した際、サンプル希釈ピペット７は、サンプルターンテーブル２の軸方向に沿って下降し、その先端に設けたピペットを検体容器２１内に挿入する。このとき、サンプル希釈ピペット７は、不図示のサンプル用ポンプが作動して検体容器２１内に収容された検体を所定量吸引する。次に、サンプル希釈ピペット７は、サンプルターンテーブル２の軸方向に沿って上昇してピペットを検体容器２１内から抜き出す。そして、サンプル希釈ピペット７は、水平方向に沿って回動し、希釈ターンテーブル３における開口の上方の所定位置に移動する。
【００３１】
次に、サンプル希釈ピペット７は、希釈ターンテーブル３の軸方向に沿って下降して、ピペットを所定の希釈容器２３内に挿入する。そして、サンプル希釈ピペット７は、吸引した検体と、サンプル希釈ピペット７自体から供給される所定量の希釈液（例えば、生理食塩水）を希釈容器２３内に吐出する。その結果、希釈容器２３内で、検体が所定倍数の濃度に希釈される。その後、サンプル希釈ピペット７は、洗浄装置によって洗浄される。
【００３２】
サンプリングピペット８（第２分注部の一例）は、希釈ターンテーブル３と反応ターンテーブル６の間に配置されている。サンプリングピペット８は、不図示のサンプリングピペット駆動機構により、サンプル希釈ピペット７と同様に、希釈ターンテーブル３の軸方向（上下方向）と水平方向に移動及び回動可能に支持されている。そして、サンプリングピペット８は、希釈ターンテーブル３と反応ターンテーブル６の間を往復運動する。
【００３３】
このサンプリングピペット８は、希釈ターンテーブル３の希釈容器２３内にピペットを挿入して、所定量の希釈検体を吸引する。そして、サンプリングピペット８は、吸引した希釈検体を反応ターンテーブル６の反応容器２６内に吐出する。
【００３４】
第１試薬ピペット１２は、反応ターンテーブル６と第１試薬ターンテーブル４の間に配置され、第２試薬ピペット１３は、反応ターンテーブル６と第２試薬ターンテーブル５の間に配置されている。第１試薬ピペット１２は、不図示の第１試薬ピペット駆動機構により、反応ターンテーブル６の軸方向（上下方向）と水平方向に移動及び回動可能に支持されている。そして、第１試薬ピペット１２は、第１試薬ターンテーブル４と反応ターンテーブル６の間を往復運動する。
【００３５】
第１試薬ピペット１２は、第１試薬ターンテーブル４の第１試薬容器２４内にピペットを挿入して、所定量の第１試薬を吸引する。そして、第１試薬ピペット１２は、吸引した第１試薬を反応ターンテーブル６の反応容器２６内に吐出する。
【００３６】
また、第２試薬ピペット１３は、不図示の第２試薬ピペット駆動機構により、第１試薬ピペット１２と同様に、反応ターンテーブル６の軸方向（上下方向）と水平方向に移動及び回動可能に支持されている。そして、第２試薬ピペット１３は、第２試薬ターンテーブル５と反応ターンテーブル６の間を往復運動する。
【００３７】
第２試薬ピペット１３は、第２試薬ターンテーブル５の第２試薬容器２５内にピペットを挿入して、所定量の第２試薬を吸引する。そして、第２試薬ピペット１３は、吸引した第２試薬を反応ターンテーブル６の反応容器２６内に吐出する。
【００３８】
希釈撹拌装置９及び希釈洗浄装置１１は、希釈ターンテーブル３の周囲に配置されている。希釈撹拌装置９は、不図示の撹拌子を希釈容器２３内に挿入し、検体と希釈液を撹拌する。
【００３９】
希釈洗浄装置１１は、サンプリングピペット８によって希釈検体が吸引された後の希釈容器２３を洗浄する装置である。この希釈洗浄装置１１は、複数の希釈容器洗浄ノズルを有している。複数の希釈容器洗浄ノズルは、不図示の廃液ポンプと、不図示の洗剤ポンプに接続されている。希釈洗浄装置１１は、希釈容器洗浄ノズルを希釈容器２３内に挿入し、廃液ポンプを駆動させて挿入した希釈容器洗浄ノズルによって希釈容器２３内に残留する希釈検体を吸い込む。そして、希釈洗浄装置１１は、吸い込んだ希釈検体を不図示の廃液タンクに排出する。
【００４０】
その後、希釈洗浄装置１１は、洗剤ポンプから希釈容器洗浄ノズルに洗剤を供給し、希釈容器洗浄ノズルから希釈容器２３内に洗剤を吐出する。この洗剤によって希釈容器２３内を洗浄する。その後、希釈洗浄装置１１は、洗剤を希釈容器洗浄ノズルによって吸引し、希釈容器２３内を乾燥させる。
【００４１】
第１反応撹拌装置１４、第２反応撹拌装置１５及び反応容器洗浄装置１８は、反応ターンテーブル６の周囲に配置されている。第１反応撹拌装置１４は、不図示の撹拌子を反応容器２６内に挿入し、希釈検体と第１試薬を撹拌する。これにより、希釈検体と第１試薬との反応が均一かつ迅速に行われる。なお、第１反応撹拌装置１４の構成は、希釈撹拌装置９と同一であるため、ここではその説明は省略する。
【００４２】
第２反応撹拌装置１５は、不図示の撹拌子を反応容器２６内に挿入し、希釈検体と、第１試薬と、第２試薬とを撹拌する。これにより、希釈検体と、第１試薬と、第２試薬との反応が均一かつ迅速に行われる。なお、第２反応撹拌装置１５の構成は、希釈撹拌装置９と同一であるため、ここではその説明は省略する。
【００４３】
反応容器洗浄装置１８は、検査が終了した反応容器２６内を洗浄する装置である。この反応容器洗浄装置１８は、複数の反応容器洗浄ノズルを有している。複数の反応容器洗浄ノズルは、希釈容器洗浄ノズルと同様に、不図示の廃液ポンプと、不図示の洗剤ポンプに接続されている。なお、反応容器洗浄装置１８における洗浄工程は、上述した希釈洗浄装置１１と同様であるため、その説明は省略する。
【００４４】
また、多波長光度計１６は、反応ターンテーブル６の周囲における反応ターンテーブル６の外壁と対向するように配置されている。多波長光度計１６は、反応容器２６内に注入され、第１試薬及び第２試薬と反応した希釈検体に対して光学的測定を行って、検体中の様々な成分の量を「吸光度」という数値データとして出力し、希釈検体の反応状態を検出するものである。多波長光度計１６には、計算機３０が接続されている。
【００４５】
さらに、反応ターンテーブル６の周囲には、恒温槽１７が配置されている。この恒温槽１７は、反応ターンテーブル６に設けられた反応容器２６の温度を常時一定に保持するように構成されている。
【００４６】
＜１−２．計算機の構成例＞
次に、計算機３０の構成例について、図２と図３を参照して説明する。
図２は、計算機３０の内部構成例を示すハードウェア構成図である。
計算機３０は、バス３６に接続された、制御部３１と、記憶部３２と、表示部３３と、入力部３４と、インターフェイス部３５とを備える。
【００４７】
制御部３１は、例えば、ＣＰＵ（Central Processing Unit）等によって構成されており、生化学分析装置１内の各部の動作を制御する。
記憶部３２は、例えば、ＨＤＤ（Hard disk drive）等の大容量の記録装置によって構成されており、制御部３１のプログラム、パラメーター、検量線、希釈異常の検出結果、入力部３４によってなされた入力操作等を記録する。また、記憶部３２は、検体の自動分析に用いられる容器の形状を示す画像の画像ファイル、及び検体の自動分析を依頼するための依頼情報を記憶する。
【００４８】
表示部３３は、例えば、液晶ディスプレイ装置によって構成されており、例えば、後述する図５等に示す画面を表示する。
入力部３４は、例えば、マウス、キーボード、タッチパネル等によって構成されており、ユーザーによって行われる生化学分析装置１に対する操作入力を受け付け、入力信号を制御部３１に出力する。
【００４９】
インターフェイス部３５は、多波長光度計１６が測定した希釈検体の測定結果が入力されると、制御部３１に測定結果を渡すために用いられる。なお、図２では、インターフェイス部３５に多波長光度計１６だけを接続した例を示しているが、生化学分析装置１内の各部についても同様にインターフェイス部３５に接続され、制御部３１による制御が行われる。
【００５０】
＜１−３．制御部の構成例＞
本実施の形態例に係る生化学分析装置１を使用するユーザーは、管理者、分析担当者に分かれており、それぞれ検体容器２１の容器形状を登録する処理が異なる。このため、始めに管理者が検体容器２１の容器形状を登録する処理について説明する。
【００５１】
図３は、制御部３１の内部構成例を示すブロック図である。
制御部３１は、運用設定部３１ａ、登録処理部３１ｂ及び分析制御部３１ｃを備える。
【００５２】
運用設定部３１ａの処理は、管理者が入力部３４を操作して行った指示に基づいて行われる。運用設定部３１ａは、特定の検体の測定依頼に先立って運用設定を行う。運用設定において運用設定部３１ａは、検体容器２１を特定するための検体容器パラメーター（容器パラメーターの一例）に画像ファイルへのパス（保存先情報の一例）を設定する。また、運用設定部３１ａは、検体容器パラメーターとして、検体容器２１の名称、検体容器２１の内径及び高さ（後述する図６と図７）を、画像ファイルへのパスと共に記憶部３２に設定する。
【００５３】
登録処理部３１ｂの処理は、分析担当者が入力部３４を操作して行った指示に基づいて行われる。登録処理部３１ｂは、検体容器２１の形状を登録するための容器形状登録ボタン５２（後述する図９に示す登録ボタンの一例）に検体容器パラメーターから取得した検体容器２１の形状を示す名称を表示する。そして、分析担当者により容器形状登録ボタン５２が選択された場合に、パスを通じて記憶部３２から読出した画像ファイルに基づいて、複数種別の検体容器２１の画像を表示部３３に表示する。そして、登録処理部３１ｂは、複数種別の検体容器２１の画像から選択された一の画像の画像ファイルが設定される容器パラメーターから取得した検体容器２１の名称により、容器形状登録ボタン５２の名称を更新する。さらに登録処理部３１ｂは、更新した容器形状登録ボタン５２の名称を含む依頼情報を記憶部３２に登録する。
【００５４】
分析制御部３１ｃは、記憶部３２に登録された依頼情報に従って、検体の自動分析を制御する。このとき、分析制御部３１ｃは、依頼情報から特定した容器パラメーターに基づいて、サンプル希釈ピペット７に検体容器２１から検体を吸引させる。そして、分析制御部３１ｃは、サンプル希釈ピペット７が吸引した検体を用いて行われる生化学分析装置１の測定処理を制御する。
【００５５】
＜１−４．制御部の処理例＞
図４は、制御部３１の各部の処理例を示すフローチャートである。
始めに、運用設定部３１ａは、表示部３３に容器形状設定画面４０（後述する図５）を表示し、検体容器２１の運用設定処理を行う（Ｓ１）。検体容器２１の運用設定処理により、検体容器パラメーターが設定される。ここで、記憶部３２には、検体容器パラメーターに対応付けて検体容器２１を一意に特定する検体容器タイプ（設定ナンバー）が記憶されている。このため、運用設定部３１ａは、検体容器パラメーターとして、検体容器タイプ（設定ナンバー）に対応付けて、上述した検体容器２１の名称、検体容器２１の内径及び高さ等を、画像ファイルへのパスと共に記憶部３２に記憶させる。検体容器パラメーターは、記憶部３２に記憶され、登録処理部３１ｂにより適宜読出される。
【００５６】
次に、登録処理部３１ｂは、表示部３３に依頼情報登録画面５０（後述する図９）を表示し、依頼情報の登録処理を行う（Ｓ２）。依頼情報の登録処理により、使用される検体容器２１の形状に一致する検体容器タイプ（設定ナンバー）が記憶部３２に登録される。ステップＳ１にて検体容器タイプ（設定ナンバー）に対応付けられた画像ファイルは、登録処理部３１ｂにより記憶部３２から適宜読出される。
【００５７】
次に、分析制御部３１ｃは、サンプルターンテーブル２に配置された不図示のバーコードリーダーが検体容器２１に付されたバーコードから検体ＩＤ（検体識別情報の一例）を取得する。そして、分析制御部３１ｃは、バーコードリーダーから取得した検体ＩＤと一致する検体ＩＤに対応付けられた依頼情報を記憶部３２から読み出し、この依頼情報に従って検体を測定する制御を行う（Ｓ３）。
【００５８】
＜１−５．検体容器の運用設定処理の例＞
次に、図４のステップＳ１にて行われる検体容器２１の運用設定処理について、図５〜図８を参照して説明する。
図５は、容器形状設定画面４０の表示例を示すユーザー・インターフェイス図である。
容器形状設定画面４０は、所定の権限を有する生化学分析装置１の管理者が検体容器２１の種別毎に、検体容器２１に関する各種の情報を設定するために用いられる。
【００５９】
容器形状設定画面４０は、装置基本構成領域４１、項目設定領域４２を備える。
装置基本構成領域４１には、生化学分析装置１に用いられる各種ユニット等の基本構成が表示される。
項目設定領域４２には、生化学分析装置１で用いられる各種装置の設置場所等を設定する項目が表示される。項目設定領域４２において、検体容器２１の形状、設置場所等が設定される。この例では、検体容器２１の種別を識別するための種別項目４３として「検体容器種別 １」が展開された状態で示される。そして、種別項目４３には、検体容器２１の名称設定領域４４ａ、検体容器２１の形状設定領域４４ｂ、生化学分析装置１での検体容器２１の高さ設定領域４４ｃ、検体容器２１の外観形状を示す画像ファイルへのパス設定領域４４ｄが含まれる。
【００６０】
ここで、検体容器２１の形状を規定する各部の数値について、図６と図７を参照して説明する。
図６は、検体容器２１の形状を特定するための検体容器パラメーターの例を示す説明図である。ここでは、カップ型の検体容器２１を垂直方向に断面視した例が示されている。
【００６１】
検体容器２１は、円錐台状に形成された２種類の斜面部２１ｂ、２１ｃを接続した先細りの形状で形成される。検体容器２１の中心軸と直交する方向に対する斜面部２１ｂ、２１ｃが有する各斜面の傾斜角は異なっており、斜面部２１ｂの傾斜角は、斜面部２１ｃの傾斜角よりも大きい。斜面部２１ｂの上端は、検体容器２１の内部に検体が注入される開口部２１ａとして用いられる。斜面部２１ｂの下端と、斜面部２１ｃの上端は継ぎ目無く接続され、斜面部２１ｃの下端と底部２１ｄは継ぎ目無く接続される。
【００６２】
検体容器２１の斜面部２１ｂ、２１ｃ、底部２１ｄは一定の厚みを有する。そして、斜面部２１ｂの上端（開口部２１ａ）の内周直径をＤ１と規定し、斜面部２１ｂの下端の内周直径をＤ２と規定し、底部２１ｄの内周直径をＤ３と規定する。また、検体容器２１の開口部２１ａからサンプル希釈ピペット７の上死点までの垂直方向の高さをｈ１と規定する。そして、斜面部２１ｂ、２１ｃの接続部分から開口部２１ａまでの高さをＨ２と規定し、底部２１ｄから開口部２１ａまでの高さをＨ３と規定する。
これらの値を次式（１）に入れることで、検体容器２１が収容可能な検体の量Ｖを求めることができる。
【００６３】
【数１】
2017129393.tif 000003
【００６４】
図７は、サンプル希釈ピペット７の上死点を基準とした検体容器２１の位置関係を示す説明図である。
図１に示される希釈液容器２２が配置されている箇所をＲＳＴと呼び、検体容器２１が配置されている箇所をＳＴと呼ぶ。希釈液容器２２が配置される箇所には検体容器２１が配置される場合もある。ＲＳＴ、ＳＴでは、検体容器２１の開口部２１ａからサンプル希釈ピペット７の上死点までの高さが異なる。このため、検体容器２１の開口部２１ａからサンプル希釈ピペット７の上死点までの高さを、それぞれｈ１（ＲＳＴ）、ｈ１（ＳＴ）と規定する。
【００６５】
再び図５に示す容器形状設定画面４０の説明に戻る。
検体容器２１の名称設定領域４４ａには、生化学分析装置１に配置される検体容器２１の名称が「7mL Tube」と設定されている。
「検体容器種別１」の種別項目４３に含まれる検体容器２１の形状設定領域４４ｂには、検体容器２１の内周直径Ｄ１、Ｄ２、Ｄ３、検体容器２１の高さＨ２、Ｈ３が設定されている。
【００６６】
また、生化学分析装置１での検体容器２１の高さ設定領域４４ｃには、高さｈ１（ＲＳＴ）、ｈ１（ＳＴ）が設定されている。
画像ファイルへのパス設定領域４４ｄには、記憶部３２に保存されている、検体容器２１に対応する画像ファイル「7mL.jpg」のパスが設定されている。
このように検体容器２１の種別に応じて個別に様々な情報が設定されている。
【００６７】
図８は、図４のステップＳ１にて行われる検体容器２１の運用設定処理の例を示すフローチャートである。
始めに、管理者は、入力部３４を操作して、検体容器２１の検体容器タイプを選択する（Ｓ１１）。検体容器タイプとは、生化学分析装置１にて使用される検体容器２１を特定するための項目であり、例えば、検体容器２１の設定ナンバーによって選択することが可能である。
【００６８】
次に、新たな検体容器２１を用いる場合等において、運用設定部３１ａは、検体容器パラメーターの設定が必要となる検体容器２１が存在するか否かを判定する（Ｓ１２）。検体容器パラメーターの設定が必要となる検体容器２１が存在しない場合（Ｓ１２のＮＯ）、運用設定部３１ａは本処理を終了する。
【００６９】
一方、検体容器パラメーターの設定が必要となる検体容器２１が存在していた場合（Ｓ１２のＹＥＳ）、新たに検体容器パラメーターを登録する処理が必要となる。このため、管理者は、容器形状設定画面４０の項目設定領域４２を表示部３３に表示し、検体容器２１の名称、形状を含む検体容器パラメーター（内径、高さ）を入力する（Ｓ１３）。管理者によって入力された検体容器２１の名称、形状等は、運用設定部３１ａにより記憶部３２に登録される。
【００７０】
次に、管理者は、画像ファイルへのパス設定領域４４ｄにて、検体容器２１の画像ファイルのパスを指定する（Ｓ１４）。管理者によって入力された検体容器２１の画像ファイルのパスは、運用設定部３１ａにより記憶部３２に登録される。その後、ステップＳ１１に戻って、検体容器タイプを選択する処理を繰り返す。
【００７１】
＜１−６．依頼情報の登録処理の例＞
次に、図４のステップＳ２にて行われる依頼情報の登録処理について、図９と図１０を参照して説明する。
図９は、依頼情報登録画面５０の表示例を示すユーザー・インターフェイス図である。
依頼情報登録画面５０は、生化学分析装置１を使用する分析担当者が、検体が収容された検体容器２１をサンプルターンテーブル２に配置する際に表示され、依頼情報を登録するために用いられる。
【００７２】
依頼情報登録画面５０は、依頼情報選択画面５１を備えており、登録処理部３１ｂによって表示部３３に表示される。依頼情報選択画面５１には、検体容器２１に収容された検体材料、測定位置、検体ＩＤ、容器形状等の項目が表示される。依頼情報選択画面５１には、検体容器２１の形状を登録するための容器形状登録ボタン５２が含まれる。分析担当者が容器形状登録ボタン５２を選択すると、登録処理部３１ｂがパスを通じて記憶部３２から読出した画像ファイルに基づいて複数の検体容器２１の画像を含む容器形状選択画面５３を表示部３３に表示する。容器形状選択画面５３は、依頼情報登録画面５０の上にポップアップ表示される。なお、容器形状登録ボタン５２には、記憶部３２に検体ＩＤが登録済みであるか否かにより、デフォルト値又は登録値のいずれかが表示されている。
【００７３】
容器形状選択画面５３は、生化学分析装置１の記憶部３２からパスを通じて読出した画像ファイルに基づいて、検体容器２１の画像を検体容器リストとして一覧表示する。検体容器２１の各画像は、容器形状選択ボタン５３ａ〜５３ｃとして検体容器リストに表示される。容器形状選択ボタン５３ａ〜５３ｃに表示される「1: 7mL Tube」、「2: 2.5mL Cup」、「3: 10mL Tube」は、それぞれ図５の項目設定領域４２に「検体容器種別 １」、「検体容器種別 ２」、「検体容器種別 ３」と表示される種別項目４３から取得された検体容器２１の名称である。
【００７４】
そして、登録処理部３１ｂは、複数の画像から選択された一の画像の画像ファイルが設定される容器パラメーターに基づいて、容器形状登録ボタン５２の名称を更新する。例えば、分析担当者が、「1.7mL Tube」を示す画像が表示された左端の容器形状選択ボタン５３ａ〜５３ｃを選択して押すと、容器形状登録ボタン５２の名称が「7mL Tube」に更新される。このように分析担当者は、画像を見ながら、検体容器２１の形状選択を行うことができる。検体容器２１の容器形状以外の項目についても入力が完了すると、分析担当者が登録ボタン５５を押す。これにより登録処理部３１ｂは、容器形状登録ボタン５２の更新した名称を含む依頼情報を記憶部３２に登録する。その後、分析制御部３１ｃは、記憶部３２に登録された依頼情報に従って、検体の自動分析を制御する。
【００７５】
図１０は、図４のステップＳ２にて行われる依頼情報の登録処理の例を示すフローチャートである。
始めに、分析担当者は、入力部３４を操作して、依頼情報登録画面５０の検体ＩＤ入力領域に検体ＩＤを入力する（Ｓ２１）。登録処理部３１ｂは、入力された検体ＩＤが記憶部３２に登録済みであるか否かを判定する（Ｓ２２）。記憶部３２に検体ＩＤが登録されていない場合（Ｓ２２のＮＯ）、登録処理部３１ｂにより検体容器パラメーターのデフォルト値が依頼情報選択画面５１に表示される（Ｓ２３）。検体容器パラメーターのデフォルト値は、検体ＩＤに関係なく初期設定される値であり、容器形状登録ボタン５２には、例えば、「1: 7mL Tube」と表示される。
【００７６】
一方、記憶部３２に検体ＩＤが登録済みである場合（Ｓ２２のＹＥＳ）、検体ＩＤに紐付けて登録されている依頼情報が、登録処理部３１ｂにより依頼情報選択画面５１に表示される（Ｓ２４）。このとき、容器形状登録ボタン５２には、例えば、「2: 2.5mL Cup」と表示される。ステップＳ２３又はＳ２４の後、分析担当者は容器形状登録ボタン５２に表示された容器形状の名称が不適切であれば、適切な容器形状の名称を設定するために、依頼情報の各属性を編集する（Ｓ２５）。
【００７７】
ステップＳ２５にて分析担当者により容器形状登録ボタン５２が押されると、検体容器２１の容器形状を選択する指示がなされる（Ｓ２５Ａ）。このとき、登録処理部３１ｂは、図９に示した容器形状選択画面５３を表示部３３に表示する。上述したように容器形状選択画面５３には、検体容器２１の名称、画像を含む容器形状選択ボタン５３ａ〜５３ｃを並べた検体容器リストが表示される（Ｓ２５Ｂ）。
【００７８】
次に、分析担当者は、入力部３４を操作して、表示された検体容器リストから、実際に使用する検体容器２１と一致する検体容器２１の画像（容器形状選択ボタン５３ａ〜５３ｃのいずれか）を選択する（Ｓ２５Ｃ）。分析担当者が画像を選択した後、容器形状選択画面５３を閉じると、登録処理部３１ｂが依頼情報選択画面５１を表示する。この時、登録処理部３１ｂは、容器形状登録ボタン５２の名称を、容器形状選択画面５３にて選択された検体容器２１の名称に更新する（Ｓ２５Ｄ）。
【００７９】
ステップＳ２５の後、分析担当者は、入力部３４を操作して、登録ボタン５５を押すと、登録処理部３１ｂが記憶部３２に依頼情報を登録する（Ｓ２６）。その後、分析担当者は、他の依頼情報の登録があるか否かを判定する（Ｓ２７）。他の依頼情報の登録がある場合（Ｓ２７のＹＥＳ）、ステップＳ２１に戻って、登録処理部３１ｂは、本処理を繰り返す。他の依頼情報の登録がない場合（Ｓ２７のＮＯ）、登録処理部３１ｂは、本処理を終了する。
【００８０】
以上説明した第１の実施の形態例に係る生化学分析装置１では、容器形状選択画面５３に検体容器２１の画像と名称を含む検体容器リストが表示されるため、分析担当者が実際の検体容器２１を見ながら、検体容器２１の画像を選択することができる。これにより分析担当者が生化学分析装置１の分析に不慣れであっても、実際に使用する検体容器２１と同じ形状の検体容器２１の画像を選択し依頼情報に登録可能であるため、操作効率が向上する。また、検体容器２１を誤って選択したことにより、サンプル希釈ピペット７が破損したり、検体を吸引できなくなったりするリスクを低減可能であり、検査効率が向上する。
【００８１】
また、管理者により、事前に検体容器２１の名称と画像を設定することが可能である。また、検体ＩＤに対応する検体容器２１の名称と画像が誤って設定されていた場合には、分析担当者が正しい名称と画像に更新することが可能となる。
【００８２】
なお、依頼情報登録画面５０にてデフォルト値として入力された箇所は文字色を変える等により分析担当者が入力した値ではないことが明確に分かるようにするとよい。これにより分析担当者は、編集が必要な項目を見分けやすくなる。
【００８３】
［第２の実施の形態例］
次に、本発明の第２の実施の形態例に係る生化学分析装置１について説明する。本実施の形態例では、管理者又は分析担当者が第１試薬容器２４又は第２試薬容器２５の形状を設定する場合について説明する。以下の説明では、第１試薬及び第２試薬を「試薬」と総称し、第１試薬容器２４及び第２試薬容器２５を「試薬容器」と総称し、第１試薬ターンテーブル４及び第２試薬ターンテーブル５を「試薬ターンテーブル」と総称する。
【００８４】
＜２−１．制御部の処理例＞
図１１は、制御部３１の各部の処理例を示すフローチャートである。
始めに、運用設定部３１ａは、表示部３３に容器形状設定画面６０（後述する図１２）を表示し、試薬容器の運用設定処理を行う（Ｓ３１）。試薬容器の運用設定処理により、使用される試薬容器を特定するための試薬容器パラメーター（容器パラメーターの一例）が設定される。試薬容器パラメーターは、記憶部３２に記憶され、登録処理部３１ｂにより適宜読出される。
【００８５】
次に、登録処理部３１ｂは、表示部３３に試薬スキャン画面７０（後述する図１４）、開封操作画面８０（後述する図１５）、試薬容器形状選択画面９０（後述する図１６）を表示し、試薬容器を交換するための試薬交換処理を行う（Ｓ３２）。試薬交換処理により、試薬残量が規定値未満となった試薬容器が新たな試薬容器に交換される。試薬容器の形状を示す画像ファイルは、記憶部３２に記憶され、登録処理部３１ｂにより適宜読出される。
【００８６】
次に、分析制御部３１ｃは、サンプルターンテーブル２に配置された不図示のバーコードリーダーにより読込まれた、検体容器２１に付されたバーコードから検体ＩＤを取得する。そして、分析制御部３１ｃは、検体ＩＤと一致する依頼情報の内容に従って検体と、交換された試薬容器から吸引した試薬とを混合し、試薬が混合された検体を測定する制御を行う（Ｓ３３）。
【００８７】
＜２−２．試薬容器の運用設定処理の例＞
次に、図１１のステップＳ３１にて行われる試薬容器の運用設定処理について、図１２と図１３を参照して説明する。
図１２は、容器形状設定画面６０の表示例を示すユーザー・インターフェイス図である。
容器形状設定画面６０は、生化学分析装置１の管理者が試薬容器の種別毎に、試薬容器パラメーター（主に試薬容器の形状）を設定するために用いられる。
【００８８】
容器形状設定画面６０は、項目設定領域６１を有する。項目設定領域６１には、試薬容器の名称設定領域６１ａ、試薬容器の外観イメージを示す画像ファイルへのパス設定領域６１ｂ等が含まれる。
試薬容器の名称設定領域６１ａには、生化学分析装置１に配置される試薬容器の名称が「120mL」と設定される。
画像ファイルへのパス設定領域６１ｂには、記憶部３２に保存されている、試薬容器に対応する画像ファイル「120mL.jpg」へのパスが設定される。
このように容器形状設定画面６０には、試薬容器の種別に応じて個別に様々な情報が設定されている。
【００８９】
図１３は、図１１のステップＳ３１にて行われる試薬容器の運用設定処理の例を示すフローチャートである。
始めに、管理者は、入力部３４を操作して、試薬容器の試薬容器タイプを選択する（Ｓ４１）。試薬容器タイプとは、生化学分析装置１にて使用される試薬容器を特定するための項目であり、例えば、試薬容器の設定ナンバーによって選択することが可能である。
【００９０】
次に、運用設定部３１ａは、試薬容器パラメーターの設定が必要となる試薬容器が存在するか否かを判定する（Ｓ４２）。試薬容器パラメーターの設定が必要となる試薬容器が存在しない場合（Ｓ４２のＮＯ）、運用設定部３１ａは本処理を終了する。
【００９１】
一方、試薬容器パラメーターの設定が必要となる試薬容器が存在していた場合（Ｓ４２のＹＥＳ）、新たに試薬容器パラメーターを登録する処理が必要となる。このため、運用設定部３１ａは、容器形状設定画面６０の項目設定領域６１を表示部３３に表示する。そして、管理者は、試薬容器の名称、形状（断面積、容量）等を含む試薬容器パラメーターを入力する（Ｓ４３）。管理者によって入力された試薬容器の名称、形状は、運用設定部３１ａにより記憶部３２に設定される。
【００９２】
次に、管理者は、画像ファイルへのパス設定領域６１ｂにて、試薬容器の画像ファイルのパスを指定する（Ｓ４４）。運用設定部３１ａは、試薬容器パラメーターとして、試薬容器の名称、試薬容器の断面積及び容量を、画像ファイルへのパスと共に記憶部３２に設定する。その後、ステップＳ４１に戻って、試薬容器タイプを選択する処理を繰り返す。
【００９３】
＜２−３．試薬交換処理の例＞
次に、図１１のステップＳ３２にて行われる試薬交換処理について、図１４〜図１７を参照して説明する。
図１４は、試薬スキャン画面７０の表示例を示すユーザー・インターフェイス図である。
試薬スキャン画面７０は、登録処理部３１ｂにより表示部３３に表示される。この試薬スキャン画面７０は、試薬ターンテーブルに配置された試薬容器を、分析担当者が別の試薬容器に交換する際に用いられる。
【００９４】
試薬スキャン画面７０は、項目一覧表示領域７１を有しており、登録処理部３１ｂにより表示部３３に表示される。項目一覧表示領域７１には、試薬容器の位置、試薬タイプ、項目名、試薬名、メーカー、状態、開封といった各種の情報が一覧表示される。試薬容器に収容された試薬の残量がない場合には、状態項目７１ａに「残量なし」と表示される。このため、分析担当者は、「残量なし」と表示された状態項目７１ａと同じ行にある開封ボタン７１ｂを押して、試薬容器を交換する作業を行う。
【００９５】
図１５は、開封操作画面８０の表示例を示すユーザー・インターフェイス図である。
開封操作画面８０は、図１４の開封ボタン７１ｂが押された後、登録処理部３１ｂにより表示部３３に表示される。この開封操作画面８０は、試薬容器の開封操作を試薬容器パラメーターに登録するために用いられる。
【００９６】
開封操作画面８０は、試薬容器パラメーター設定領域８１を有する。試薬容器パラメーター設定領域８１は、試薬容器のバーコードＩＤ（試薬容器識別情報の一例）、ロット、シリアルナンバー、有効期限、開封期限、試薬容器形状を、試薬容器パラメーターに設定するために用いられる。バーコードＩＤは、試薬容器を一意に特定するものであり、記憶部３２に記憶されている。そして、バーコードＩＤに対応付けて、上述したロット、シリアルナンバー等が記憶部３２に記憶される。試薬容器パラメーターは、開封期限項目に表示される開封ボタン８１ａが押されると、試薬容器パラメーターを示すテキストボックス等が有効になり、必要な情報を入力することが可能となる。
【００９７】
また、開封操作画面８０には、試薬容器の形状を登録するための試薬容器形状ボタン８１ｂが含まれる。試薬容器形状ボタン８１ｂが選択された場合に、登録処理部３１ｂがパスを通じて記憶部３２から読出した画像ファイルに基づいて複数種別の試薬容器の画像を含む試薬容器形状選択画面９０が表示部３３に表示される。そして、試薬容器形状の設定が試薬容器形状選択画面９０を用いて行われる。
【００９８】
試薬容器形状選択画面９０にて複数の画像から選択された一の画像の画像ファイルが試薬容器パラメーターに設定される。登録ボタン８２が押されると、登録処理部３１ｂは、試薬容器パラメーターに基づいて、試薬容器形状ボタン８１ｂの名称を更新して、試薬容器の開封日時と共に記憶部３２に登録する。
【００９９】
図１６は、試薬容器形状選択画面９０の表示例を示すユーザー・インターフェイス図である。
試薬容器形状選択画面９０は、図１５の試薬容器形状ボタン８１ｂが押された後に、登録処理部３１ｂにより表示部３３に表示される。この試薬容器形状選択画面９０は、分析担当者が試薬容器の画像を見ながら、新たに開封する試薬容器の形状を設定するために用いられる。
【０１００】
試薬容器形状選択画面９０は、登録処理部３１ｂが記憶部３２からパスを通じて読出した画像ファイルに基づいて、試薬容器の画像を試薬容器リストとして一覧表示する。試薬容器の各画像は、容器形状選択ボタン９０ａ〜９０ｄとして試薬容器リストに表示される。試薬容器リストは、分析担当者が試薬容器形状を選択するために用いられる。分析担当者は、容器形状選択ボタン９０ａ〜９０ｄを見比べて、交換しようとする試薬容器の形状に適した画像を選択する。分析担当者が選択した画像に対応する試薬容器の名称（例えば、「70mL」）は、試薬容器形状ボタン８１ｂの名称として反映される。
【０１０１】
図１７は、図１１のステップＳ３２にて行われる試薬交換処理の例を示すフローチャートである。
始めに、分析担当者は、図１４に示した試薬スキャン画面７０を見て、交換が必要となる試薬容器を確認する。そして、分析担当者は、入力部３４を操作して、試薬容器が配置されている試薬ターンテーブルと位置番号を指定して、試薬容器の交換を要求する（Ｓ５１）。試薬容器の交換は、例えば、図１４に示した開封ボタン７１ｂを押して要求される。
【０１０２】
試薬容器の交換が要求されると、登録処理部３１ｂは、１つの試薬容器に対して分析担当者が開封操作を行うための開封操作画面８０を表示部３３に表示する（Ｓ５２）。分析担当者は、図１５に示した開封操作画面８０の開封ボタン８１ａを押し、試薬容器パラメーターの設定を有効にする。そして、分析担当者は、試薬容器パラメーターを設定する（Ｓ５３）。ここで、ロット、シリアルナンバー、有効期限の項目は設定が任意であるが、試薬容器形状の項目は設定が必須である。
【０１０３】
このため、分析担当者は、試薬容器形状ボタン８１ｂを押す（Ｓ５３Ａ）。これにより、登録処理部３１ｂは、図１６に示した試薬容器形状選択画面９０を表示部３３に表示する（Ｓ５３Ｂ）。この試薬容器形状選択画面９０には、試薬容器の名称、画像を含む試薬容器リストが表示される。試薬容器リストには、開封操作される試薬容器のバーコードＩＤに対応付けられた画像ファイルに基づいて複数の画像が一覧表示される。
【０１０４】
次に、分析担当者は、入力部３４を操作して、表示された試薬容器リストから、交換する試薬容器と一致する試薬容器の画像（容器形状選択ボタン９０ａ〜９０ｄのいずれか）を選択する（Ｓ５３Ｃ）。分析担当者が画像を選択すると、試薬容器の画像が選択されると試薬容器形状選択画面９０が閉じられ、元の開封操作画面８０が操作可能に表示される。このとき、登録処理部３１ｂは、試薬容器形状ボタン８１ｂの名称を、試薬容器形状選択画面９０にて選択された試薬容器の名称に更新する（Ｓ５３Ｄ）。
【０１０５】
ステップＳ５３の後、分析担当者が入力部３４を操作して登録ボタン８２を押すと（Ｓ５４）、登録処理部３１ｂが試薬容器パラメーターと、自動登録された試薬容器の開封日時を記憶部３２に登録する（Ｓ５５）。
【０１０６】
その後、分析担当者は、他の試薬容器を新たな試薬容器に交換するか否かを判定する（Ｓ５６）。他の試薬容器を交換する場合（Ｓ５６のＹＥＳ）、ステップＳ５１に戻って、登録処理部３１ｂは、本処理を繰り返す。他の試薬容器を交換しない場合（Ｓ５６のＮＯ）、登録処理部３１ｂは、本処理を終了する。
【０１０７】
以上説明した第２の実施の形態例に係る生化学分析装置１では、試薬容器形状選択画面９０に試薬容器の画像が表示されるため、分析担当者が実際の試薬容器を見ながら、試薬容器の画像を選択することができる。これにより分析担当者が生化学分析装置１の操作に不慣れであっても、誤った形状の試薬容器を選択したことにより、第１試薬ピペット１２及び第２試薬ピペット１３が破損したり、試薬を吸引できなくなったりするリスクを低減できる。このため、検体の分析に伴う操作効率が向上する。
【０１０８】
また、管理者により、事前に試薬容器の名称と画像を設定することも可能である。また、試薬容器種別における試薬容器の名称と画像が誤って設定されていた場合には、分析担当者が正しい試薬容器の名称と画像に置き換えることが可能となる。
【０１０９】
なお、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は本発明を分かりやすく説明するために装置の構成を詳細かつ具体的に説明したものであり、必ずしも説明した全ての構成を備えるものに限定されない。また、ここで説明した実施の形態例の構成の一部を他の実施の形態例の構成に置き換えることは可能であり、さらにはある実施の形態例の構成に他の実施の形態例の構成を加えることも可能である。また、各実施の形態例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１１０】
１…生化学分析装置、２…サンプルターンテーブル、２１…検体容器、３０…計算機、３１…制御部、３１ａ…運用設定部、３１ｂ…登録処理部、３１ｃ…分析制御部、３２…記憶部、３３…表示部、３４…入力部
【図１】
2017129393.tif 000004
【図２】
2017129393.tif 000005
【図３】
2017129393.tif 000006
【図４】
2017129393.tif 000007
【図５】
2017129393.tif 000008
【図６】
2017129393.tif 000009
【図７】
2017129393.tif 000010
【図８】
2017129393.tif 000011
【図９】
2017129393.tif 000012
【図１０】
2017129393.tif 000013
【図１１】
2017129393.tif 000014
【図１２】
2017129393.tif 000015
【図１３】
2017129393.tif 000016
【図１４】
2017129393.tif 000017
【図１５】
2017129393.tif 000018
【図１６】
2017129393.tif 000019
【図１７】
2017129393.tif 000020
【図１８】
2017129393.tif 000021
【図１９】
2017129393.tif 000022